(57)【特許請求の範囲】
【請求項１】
所望のシーケンスパターンにしたがって増減タイミングを出力するポインタシーケンス生成部（２１）と、前記ポインタシーケンス生成部から出力される増減タイミングにしたがってＡＵポインタ値が増減するフレームデータを生成出力するフレームデータ生成部（３０）とを備えたＳＤＨ信号発生装置において、
前記ポインタシーケンス生成部が、
増減の種別と繰り返し周期が同一で所定回数連続してＡＵポインタを可変するパターンを一つの共通パターンとし、所望のポインタシーケンスを構成する各共通パターンについて前記増減の種別、繰り返し周期、繰り返し回数および次パターンの情報記憶領域を指定するアドレスを一組のパターン情報として、各共通パターン毎に異なる記憶領域に記憶しているメモリ（２３）と、
予め設定された設定時間が経過する毎に増減タイミングの出力を指示するための出力指示信号を出力する計時手段（２５）と、
前記計時手段から出力指示信号が出力される毎に、予め設定された増減タイミングを前記フレームデータ生成部へ出力する増減タイミング出力手段（２８）と、
前記計時手段から、出力指示信号が予め設定されている設定回数出力されたときにパターン切換信号を出力する計数手段（２６）と、
所定のスタート信号を受けて前記メモリの所定記憶領域に記憶されているパターン情報を読み出し、該読み出したパターン情報に含まれる繰り返し周期を前記設定時間として前記計時手段に設定し、前記読み出したパターン情報に含まれる増減タイミングを前記増減タイミング出力手段に設定し、前記読み出したパターン情報に含まれる繰り返し回数を前記設定回数として前記計数手段に設定し、該計数手段から前記パターン切換信号を受けると、前記読み出したパターン情報に含まれる次パターンのアドレスで指定される前記メモリの記憶領域に記憶されているパターン情報を読み出して、前記計時手段、前記増減タイミング出力手段および前記計数手段にそれぞれ設定するパラメータ設定手段（２４）とによって構成されていることを特徴とするＳＤＨ信号発生装置。
【発明の詳細な説明】
【０００１】
【発明の属する技術分野】
本発明は、ＳＤＨ信号をそのＳＤＨ信号に含まれるＡＵポインタの値を任意のシーケンスパターンで増減させながら生成出力するＳＤＨ信号装置において、シーケンスパターンの容易に変更できるようにするための技術に関する。
【０００２】
【従来の技術】
ＳＴＭ（同期転送モード）のシステムでは、図６に示すように、９×９バイトのＳＯＨ（セクションオーバヘッド）部と９×２６１バイトのペイロード部とで１フレームが構成されるＳＤＨ（シンクロナスディジタルハイアラーキ）信号を用いてデータの伝送を行っている。
【０００３】
このフレームのＳＯＨ部の４バイト目には、ペイロード部の情報先頭位置を示す値ＡがＡＵ（アドミニストラクティブユニット）ポインタ値として挿入されている。
【０００４】
このようなフレームが連続して伝送されるシステムでは、ペイロード部の情報を多重化する際の信号間の周波数差等によって、ペイロード部の情報先頭位置が初期のフレームのＡＵポインタで指定された位置から徐々にずれていくという現象が発生する。
【０００５】
この位置ずれを防止するため、従来のＳＴＭシステムではＳＤＨ信号のＡＵポインタの値を徐々に増減させて、ＡＵポインタが示す位置に常に情報先頭位置がくるように調整しながらデータの伝送を行っている。
【０００６】
したがって、このような伝送システムを構築する際やメインテナンスを行う際には、ＡＵポインタの増減変化に対する伝送システムの応答を試験する必要がある。
【０００７】
このＡＵポインタの増減は、例えば、図７に示すように、ある繰り返し周期ΔＴａでＮａ回連続してＡＵポインタ値を一つずつ増加してから、繰り返し周期ΔＴｂでＮｂ回連続してＡＵポインタ値を一つずつ減少させるというように、バースト状のパターンで行う場合が多い。
【０００８】
このようにＡＵポインタが所定のパターンで増減するＳＤＨ信号を発生させる従来のＳＤＨ信号発生装置では、例えば、図８に示すようなポインタシーケンス生成回路１０を用いていた。
【０００９】
このポインタシーケンス生成回路１０は、設定手段１１と、第１計時手段１２と、計数手段１３と、第２計時手段１４と、増減タイミング出力手段１５によって構成されている。
【００１０】
第１計時手段１２は、スタートしてから計数手段１３から回数完了信号が入力されるまでの間、予め設定手段１１によって設定されている設定時間が経過する毎に、計数手段１３および増減タイミング出力手段１５に出力指示信号を出力する。
【００１１】
計数手段１３は、第１計時手段１２からの出力指示信号を計数し、予め設定手段１１によって設定されている回数になると、第１計時手段１２および第２計時手段１４へ回数満了信号を出力する。
【００１２】
第２計時手段１４は、計数手段１３から回数満了信号を受けた時点から予め設定手段１１によって設定されている時間が経過すると、第１計時手段１２、計数手段１３または増減タイミング出力手段１５へ次パターン開始信号を出力する。
【００１３】
この次パターン開始信号により第１計時手段１２は、再び出力指示信号の出力を開始し、計数手段１３は再び計数を開始する。また増減タイミング出力手段１５は、第１計時手段１２からの出力指示信号を受けてポインタ増加のタイミングを示す信号またはポインタ減少のタイミングを示す信号を固定的に、あるいは第２計時手段１４からの次パターン開始信号を受ける毎に交互に出力する。
【００１４】
【発明が解決しようとする課題】
しかしながら、前記したポインタシーケンス生成回路では、出力できるパターンについて柔軟性に欠けるため、いくつかの異なるシーケンス用に前記回路を複数組設けなければならず、装置の構成が複雑化し大型化し、しかも、新しいシーケンスに対応することも困難であった。
【００１５】
本発明は、この問題を解決し、簡単な構成で、発生するシーケンスパターンについての柔軟性があり、新しいシーケンスに容易に対応できるＳＤＨ信号発生装置を提供することを目的としている。
【００１６】
【課題を解決するための手段】
前記目的を達成するために、本発明のＳＤＨ信号発生装置は、
所望のシーケンスパターンにしたがって増減タイミングを出力するポインタシーケンス生成部（２１）と、前記ポインタシーケンス生成部から出力される増減タイミングにしたがってＡＵポインタ値が増減するフレームデータを生成出力するフレームデータ生成部（３０）とを備えたＳＤＨ信号発生装置において、
前記ポインタシーケンス生成部が、
増減の種別と繰り返し周期が同一で所定回数連続してＡＵポインタを可変するパターンを一つの共通パターンとし、所望のポインタシーケンスを構成する各共通パターンについて前記増減の種別、繰り返し周期、繰り返し回数および次パターンの情報記憶領域を指定するアドレスを一組のパターン情報として、各共通パターン毎に異なる記憶領域に記憶しているメモリ（２３）と、
予め設定された設定時間が経過する毎に増減タイミングの出力を指示するための出力指示信号を出力する計時手段（２５）と、
前記計時手段から出力指示信号が出力される毎に、予め設定された増減タイミングを前記フレームデータ生成部へ出力する増減タイミング出力手段（２８）と、
前記計時手段から、出力指示信号が予め設定されている設定回数出力されたときにパターン切換信号を出力する計数手段（２６）と、
所定のスタート信号を受けて前記メモリの所定記憶領域に記憶されているパターン情報を読み出し、該読み出したパターン情報に含まれる繰り返し周期を前記設定時間として前記計時手段に設定し、前記読み出したパターン情報に含まれる増減タイミングを前記増減タイミング出力手段に設定し、前記読み出したパターン情報に含まれる繰り返し回数を前記設定回数として前記計数手段に設定し、該計数手段から前記パターン切換信号を受けると、前記読み出したパターン情報に含まれる次パターンのアドレスで指定される前記メモリの記憶領域に記憶されているパターン情報を読み出して、前記計時手段、前記増減タイミング出力手段および前記計数手段にそれぞれ設定するパラメータ設定手段（２４）とによって構成されている。
【００１７】
【発明の実施の形態】
以下、図面に基づいて本発明の実施形態を説明する。図１は、本発明の実施形態のＳＤＨ信号発生装置２０の構成を示している。
【００１８】
このＳＤＨ信号発生装置２０は、ポインタシーケンス生成部２１と、ＳＤＨのフレームデータを生成出力するフレームデータ生成部３０とによって構成されている。
【００１９】
フレームデータ生成部３０は、ポインタ処理部３１が発生したポインタと、そのポインタにしたがって、ペイロードデータ発生部３２が生成したペイロードデータとをＳＯＨ合成部３３で合成処理してＳＤＨのフレームデータを生成出力する。
【００２０】
このフレームデータ生成部３０のポインタ処理部３１は、ＡＵポインタの値をポインタシーケンス生成部２１からの増減タイミングとその増減の種別とを含む信号に基づいて増減させる。なお、以下の説明では増減のタイミングとその増減の種別および増減の大きさとを含む信号を増減タイミングを呼ぶ。
【００２１】
ポインタシーケンス生成部２１は、メモリ２３、パラメータ設定手段２４、計時手段２５、計数手段２６、増減タイミング出力手段２８によって構成されている。
【００２２】
メモリ２３は、ＲＡＭあるいはＲＯＭからなり、ＡＵポインタの増減の種別、繰り返し周期が同一で所定回数連続してＡＵポインタを可変するパターンを一つの共通パターンとし、その共通パターンの増減の種別（＋／−）、繰り返し周期ΔＴ、繰り返し回数Ｎおよび次に発生する共通パターンの情報が記憶されている記憶領域の先頭アドレスＡとを一組のパターン情報として、各共通パターン毎に異なる記憶領域に記憶している。
【００２３】
例えば、図２に示すシーケンスパターンのように、繰り返し周期ΔＴａでＮａ回連続してポインタ値を１ずつ増加させてから、繰り返し周期ΔＴｂでＮｂ回連続してポインタ値を１ずつ増加させ、さらに続いて、繰り返し周期ΔＴｃでＮｃ回連続してポインタ値を１ずつ減少させるという動作を繰り返し行う場合について説明する。
【００２４】
この場合、繰り返し周期ΔＴａでＮａ回連続してポインタ値を１ずつ増加させるという動作を一つの共通パターンとし、図３に示すように、メモリ２３のアドレスＡ１〜Ａ２−１の記憶領域に、増減タイミング（＋１）と、繰り返し周期ΔＴａと、繰り返し回数Ｎａと、次の共通パターンの先頭アドレスＡｋ＝Ａ２とを一組のパターン情報として記憶する。
【００２５】
同様に、メモリ２３のアドレスＡ２〜Ａ３−１の記憶領域に、増減タイミング（＋１）と、繰り返し周期ΔＴｂと、繰り返し回数Ｎｂと、次の共通パターンの先頭アドレスＡｋ＝Ａ３とを一組のパターン情報として記憶し、アドレスＡ３〜Ａ４−１の記憶領域に、増減タイミング（−１）と、繰り返し周期ΔＴｃと、繰り返し回数Ｎｃと、次の共通パターンの先頭アドレスＡｋ＝Ａ１とを一組のパターン情報として記憶する。
【００２６】
パラメータ設定手段２４は、図示しない操作部等からスタート信号を受けると、アドレスＡ１で指定された記憶領域の情報を読み出して、繰り返し周期ΔＴを計時手段２５に設定し、繰り返し回数Ｎを計数手段２６に設定し、増減タイミングを増減タイミング出力手段２８に設定する。
【００２７】
また、パラメータ設定手段２４は、計数手段２６からパターン切換信号Ｅが出力されると、メモリ２３から読み出したアドレス情報で指定されたアドレスを先頭とする領域の情報を読み出して、繰り返し周期ΔＴを計時手段２５に設定し、繰り返し回数Ｎを計数手段２６に設定し、増減タイミングを増減タイミング出力手段２８に設定する。
【００２８】
計時手段２５は、パラメータ設定手段２４から繰り返し周期ΔＴが設定されると、ΔＴ時間が経過する毎（基準クロックＣＫがΔＴ回入力される毎）に出力指示信号Ｐを増減タイミング出力手段２８に出力する。
【００２９】
なお、ここでは、メモリ２３に設定される繰り返し周期ΔＴは、基準クロックＣＫの周期Ｔｒを単位時間として数値設定されるものとし、基準クロックＣＫの周期Ｔｒは、ＳＤＨのフレーム周期（例えば１２５μ秒）の整数倍（例えば８倍の１ｍ秒）に設定されているものとする。
【００３０】
計数手段２６は、計時手段２５から出力される出力指示信号Ｐの出力回数を計数し、その出力回数がパラメータ設定手段２４から設定された繰り返し回数Ｎに一致したとき、パラメータ設定手段２４にパターン切換信号Ｅを出力する。
【００３１】
増減タイミング出力手段２８は、計時手段２５から出力指示信号Ｐを受ける毎に、パラメータ設定手段２４によって設定された増減タイミングをフレームデータ生成部３０のＳＯＨデータ発生部３１に出力する。
【００３２】
次に上記のように構成されたＳＤＨ信号発生装置２０の動作を説明する。
予め、前記図３に示したようにシーケンスデータがメモリ２３に設定されている状態で、スタート信号が入力されると、パラメータ設定手段２４は、アドレスＡ１を先頭とする記憶領域から、増減タイミング（＋１）、繰り返し周期ΔＴａ、繰り返し回数Ｎａおよび次アドレスＡ２を読み出し、増減タイミング（＋１）を増減タイミング出力手段２８に設定し、繰り返し周期ΔＴａを計時手段２５に設定し、繰り返し回数Ｎａを計数手段２６に設定する。
【００３３】
計時手段２５は、図４の（ａ）に示す基準クロックＣＫを受け、パラメータ設定手段２４から繰り返し周期ΔＴａが設定された時点から図４の（ｂ）のように基準クロックＣＫの計数を開始して、基準クロックＣＫがΔＴａ個入力される毎に出力指示信号Ｐを出力する。
【００３４】
この出力指示信号Ｐを受けた増減タイミング出力手段２８は、図４の（ｄ）に示すように、ＡＵポインタ値を１だけ増加させるための増減タイミング（＋１）をフレームデータ生成部３０に出力する。
【００３５】
このため、フレームデータ生成部３０から出力されるＳＤＨのフレームデータのＡＵポインタ値は、図４の（ｇ）のように、それまでのポインタ値Ｒから（Ｒ＋１）、（Ｒ＋２）、（Ｒ＋３）、…と１ずつ増加する。
【００３６】
一方、計時手段２５からの出力指示信号Ｐを受けた計数手段２６は、この出力指示信号Ｐを図４の（ｅ）のように計数し、出力指示信号Ｐの計数結果がＮａに達すると、図４の（ｆ）のように、パラメータ設定手段２４に対してパターン切換信号Ｅを出力する。
【００３７】
このパターン切換信号Ｅを受けたパラメータ設定手段２４は、メモリ２３からアドレスＡ２を先頭アドレスとする記憶領域に記憶されている増減タイミング（＋１）、繰り返し周期ΔＴｂ、繰り返し回数Ｎｂおよび次アドレスＡ３を読み出し、増減タイミング（＋１）を増減タイミング出力手段２８に設定し、繰り返し周期ΔＴｂを計時手段２５に設定し、繰り返し回数Ｎｂを計数手段２６に設定する。
【００３８】
このため、計時手段２５からは、前記同様に、出力指示信号ＰがΔＴｂ周期でＮｂ回連続して出力され、この出力指示信号Ｐに同期して（＋１）の増減タイミングがＳＯＨデータ発生部３１に出力され、フレームデータ生成部３０から出力されるＳＤＨのフレームデータのＡＵポインタの値は、（Ｒ＋Ｎａ＋１）、（Ｒ＋Ｎａ＋２）、（Ｒ＋Ｎａ＋３）、…というように１ずつ増加する。
【００３９】
以後の動作は図示していないが前記動作の繰り返しとなる。即ち、Ｎｂ個目の出力指示信号Ｐが出力されると、計数手段２６からパターン切換信号Ｅがパラメータ設定手段２４に出力され、このパターン切換信号Ｅを受けたパラメータ設定手段２４は、メモリ２３からアドレスＡ３を先頭アドレスとする記憶領域に記憶されている増減タイミング（−１）、繰り返し周期ΔＴｃ、繰り返し回数Ｎｃおよび次アドレスＡ１を読み出し、増減タイミング（−１）を増減タイミング出力手段２８に設定し、繰り返し周期ΔＴｃを計時手段２５に設定し、繰り返し回数Ｎｃを計数手段２６に設定する。
【００４０】
このため、計時手段２５からは、前記同様に、出力指示信号ＰがΔＴｃ周期でＮｃ回連続して出力され、この出力指示信号Ｐに同期して（−１）の増減タイミングがＳＯＨデータ発生部３１に出力され、フレームデータ生成部３０から出力されるＳＤＨのフレームデータのＡＵポインタの値は、（Ｒ＋Ｎａ＋Ｎｂ−１）、（Ｒ＋Ｎａ＋Ｎｂ−２）、（Ｒ＋Ｎａ＋Ｎｂ−３）、…というように１ずつ減少していく。
【００４１】
そして、Ｎｃ個目の出力指示信号Ｐが出力されて、パターン切換信号Ｅが計数手段２６から出力されると、パラメータ設定手段２４は、アドレスＡ１を先頭とする記憶領域から、増減タイミング（＋１）、繰り返し周期ΔＴａ、繰り返し回数Ｎａおよび次アドレスＡ２を読み出し、増減タイミング（＋１）を増減タイミング出力手段２８に設定し、繰り返し周期ΔＴａを計時手段２５に設定し、繰り返し回数Ｎａを計数手段２６に設定する。
【００４２】
以後、上記動作が繰り返されることになり、フレームデータ生成部３０から出力されるＳＤＨのフレームデータのＡＵポインタの値は、前記した図２に示すシーケンスパターンにしたがって増減変化する。
【００４３】
なお、このシーケンスパターンを変更する場合には、メモリ２３の記憶内容の一部を変更することで容易に対応できる。
【００４４】
例えば、前記した三種類の共通パターンと異なる新たな共通パターンを最後に追加して４種類の共通パターンからなるシーケンスパターンを繰り返す場合には、図５に示すように、メモリ２３のアドレスＡ３を先頭アドレスとする記憶領域の次パターンアドレスをＡ４に設定し、アドレスＡ４〜Ａ５−１の記憶領域に、新たな共通パターンの増減タイミング（−１）、繰り返し周期ΔＴｄ、繰り返し回数Ｎｄおよび次パターンアドレスＡ１を記憶設定すればよい。
【００４５】
なお、前記実施形態では、スタート信号を受けたときにパラメータ設定手段２４が最初にアクセスするメモリ２３のアドレスで指定される記憶領域にパターン情報が記憶されていたが、最初に発生するパターンを変更できるように、スタート信号を受けたときにパラメータ設定手段２４がメモリ２３に最初にアクセスするアドレスに、最初に発生しようとするパターンの情報が記憶されている記憶領域の先頭アドレスを設定しておき、この先頭アドレスで指定された記憶領域に記憶されているパターン情報を最初に読み出して設定してもよい。
【００４６】
このように、実施形態のＳＤＨ信号発生装置２０では、シーケンスパターンを構成する複数の共通パターンのパターン情報をブロック化してメモリ２３に設定し、これを各パターン情報に指定されている次パターンアドレス情報にしたがって切り換えるようにしているので、構成が簡単で、しかも、全体のシーケンスパターンを変更する場合でも、一部のデータを変更するだけで対応することができ、シーケンスパターンを容易に変更することができる。
【００４７】
【発明の効果】
以上説明したように、本発明のＳＤＨ信号発生装置は、シーケンスパターンを構成する各共通パターンのパターン情報をブロック化してメモリに設定し、これを各パターン情報に指定されている次パターンアドレス情報にしたがって切り換えるようにしているので、簡単な構成で、棚発生するシーケンスパターンについての柔軟性があり、新しいシーケンスパターンにも容易に対応できる。
【図面の簡単な説明】
【図１】本発明の実施形態の構成を示すブロック図
【図２】ポインタシーケンスの一例を示すパターン図
【図３】メモリの内容を示す図
【図４】実施形態の動作を説明するためのタイミング図
【図５】ポインタシーケンスを変更したときのメモリの内容を示す図
【図６】ＳＤＨのフレーム構成図
【図７】ポインタシーケンスの一例を示すパターン
【図８】従来装置の要部の構成を示す図
【符号の説明】
２０  ＳＤＨ信号発生装置
２１  ポインタシーケンス生成部
２３  メモリ
２４  パラメータ設定手段
２５  計時手段
２６  計数手段
２８  増減タイミング出力手段
３０  フレームデータ生成部
３１  ポインタ処理部
３２  ペイロードデータ発生部
３３  ＳＯＨ合成部
【図１】
0003703353.tif 000002
【図２】
0003703353.tif 000003
【図３】
0003703353.tif 000004
【図４】
0003703353.tif 000005
【図５】
0003703353.tif 000006
【図６】
0003703353.tif 000007
【図７】
0003703353.tif 000008
【図８】
0003703353.tif 000009